【誤訳訂正書】
【提出日】平成26年6月9日(2014.6.9)
【誤訳訂正１】
【訂正対象書類名】特許請求の範囲
【訂正対象項目名】全文
【訂正方法】変更
【訂正の内容】
【特許請求の範囲】
【請求項１】
無線通信デバイスとの間でブロック承認を利用する方法であって、
複数の媒体アクセス制御（ＭＡＣ）プロトコルデータユニット（ＭＰＤＵ）を統合するためのシグナリングを規定する統合データユニットフォーマットに基づいて、入力された送信を処理する前記無線通信デバイスに対する送信用のデータを取得する段階と、
前記データと前記統合データユニットフォーマットとに基づいて、ゼロより大きい長さを持ち、統合ＭＰＤＵ（Ａ−ＭＰＤＵ）のサブフレーム内に１つのＭＰＤＵを含む前記Ａ−ＭＰＤＵを生成する段階と、
前記１つのＭＰＤＵが、前記Ａ−ＭＰＤＵ内でゼロより大きい長さを持つ唯一のＭＰＤＵであることを示し、前記無線通信デバイスに、対応するブロック承認同意なしに前記Ａ−ＭＰＤＵを受け付けさせるよう、前記サブフレームのデリミタを設定する段階と、
物理フレーム（ＰＨＹフレーム）に、前記Ａ−ＭＰＤＵを含める段階と、
前記ＰＨＹフレームを前記無線通信デバイスに送信する段階と
を備える方法。
【請求項２】
前記デリミタを設定する段階は、フレームの最後（ＥＯＦ）フィールドを１に設定する段階を有する、請求項１に記載の方法。
【請求項３】
前記データを取得する段階は、管理データを受信する段階を有し、
前記Ａ−ＭＰＤＵは、前記無線通信デバイスからの承認を必要とする管理フレームを示す、
請求項１又は２に記載の方法。
【請求項４】
前記無線通信デバイスは、第１の無線通信デバイスであり、
前記Ａ−ＭＰＤＵは、第１のＡ−ＭＰＤＵであり、
前記データを取得する段階は、第２のＡ−ＭＰＤＵで第２の無線通信デバイスに対する送信用のデータを取得する段階を有し、
前記ＰＨＹフレームを送信する段階は、前記ＰＨＹフレームで、同時にそれぞれ、前記第１のＡ−ＭＰＤＵを前記第１の無線通信デバイスに提供し、前記第２のＡ−ＭＰＤＵを前記第２の無線通信デバイスに提供する第１の空間ステアリングされたフレームおよび第２の空間ステアリングされたフレームを送信する段階を有し、
前記第１の空間ステアリングされたフレームの最後および前記第２の空間ステアリングされたフレームの最後は、同じ長さを有するように位置合わせされている請求項１から３のいずれか一項に記載の方法。
【請求項５】
前記第１の無線通信デバイスに、前記第１のＡ−ＭＰＤＵに呼応して第１の承認を送信させる段階と、
前記第２の無線通信デバイスに、前記第２のＡ−ＭＰＤＵに呼応して第２の承認を送信させる段階と
を備え、
前記第２の承認は、前記第２の無線通信デバイスとの間で構築されたブロック承認同意に従うブロック承認である、請求項４に記載の方法。
【請求項６】
対応するブロック承認同意がない場合には、１つのＡ−ＭＰＤＵを有するように前記ＰＨＹフレームを制限する段階を備え、
前記第１の承認は、前記ＰＨＹフレームが終わった後の予め定められた期間に基づいて送信され、
前記ブロック承認は、明示的なポーリングに基づいて送信される、請求項５に記載の方法。
【請求項７】
第３の無線通信デバイス用に、対応するブロック承認同意なしに、前記第３の無線通信デバイス用の１つのＭＰＤＵを含む追加のＡ−ＭＰＤＵを前記ＰＨＹフレーム内に含める段階と、
前記第３の無線通信デバイスに、前記第３の無線通信デバイス用の前記追加のＡ−ＭＰＤＵに呼応して、第３の承認を送信させる段階と
を備え、
前記第１の無線通信デバイスに前記第１の承認を送信させる段階は、第１の明示的なポーリングを前記第１の無線通信デバイスに送信する段階を有し、
前記第３の無線通信デバイスに前記第３の承認を送信させる段階は、第２の明示的なポーリングを前記第３の無線通信デバイスに送信する段階を有する、請求項５又は６に記載の方法。
【請求項８】
前記第１の空間ステアリングされたフレームは、第１の非常に高いスループットの（ＶＨＴ）データセグメントを含み、
前記第２の空間ステアリングされたフレームは、第２の非常に高いスループットの（ＶＨＴ）データセグメントを含む、請求項４から７のいずれか一項に記載の方法。
【請求項９】
前記サブフレームに、３２ビットの境界に基づくパッドを選択的に含める段階と、
前記Ａ−ＭＰＤＵ内の前記サブフレームの後に１以上のパディングデリミタを選択的に含める段階と、
前記Ａ−ＭＰＤＵに、長さが４オクテット未満の整数オクテットであるＭＡＣパッドを選択的に含める段階と
を備え、
前記１以上のパディングデリミタのそれぞれは、４オクテット長であり、ＭＰＤＵ長がゼロであることを示す、請求項１から８のいずれか一項に記載の方法。
【請求項１０】
無線通信デバイスとの間でブロック承認を利用する装置であって、
無線通信インタフェースにアクセスする回路と、
プロセッサエレクトロニクスと
を備え、
前記プロセッサエレクトロニクスは、
複数の媒体アクセス制御（ＭＡＣ）プロトコルデータユニット（ＭＰＤＵ）を統合するためのデータと統合データユニットフォーマットとに基づいて、ゼロより大きい長さを持ち、統合ＭＰＤＵ（Ａ−ＭＰＤＵ）のサブフレーム内に１つのＭＰＤＵを含む前記Ａ−ＭＰＤＵを生成し、
前記１つのＭＰＤＵが、前記Ａ−ＭＰＤＵ内でゼロより大きい長さを持つ唯一のＭＰＤＵであることを示し、前記無線通信デバイスに、対応するブロック承認同意なしに前記Ａ−ＭＰＤＵを受け付けさせるよう、前記サブフレームのデリミタを設定し、
物理フレーム（ＰＨＹフレーム）に、前記Ａ−ＭＰＤＵを含め、
前記ＰＨＹフレームを前記無線通信デバイスに、前記無線通信インタフェースを介してして送信させる、装置。
【請求項１１】
前記デリミタは、前記１つのＭＰＤＵが、前記Ａ−ＭＰＤＵ内でゼロより大きい長さを持つ唯一のＭＰＤＵであることを示すよう１に設定された、フレームの最後（ＥＯＦ）フィールドを含む、請求項１０に記載の装置。
【請求項１２】
前記Ａ−ＭＰＤＵは、前記無線通信デバイスからの承認を必要とする管理フレームを示す、請求項１０又は１１に記載の装置。
【請求項１３】
前記無線通信デバイスは、第１の無線通信デバイスであり、
前記Ａ−ＭＰＤＵは、第１のＡ−ＭＰＤＵであり、
前記データを取得することは、第２のＡ−ＭＰＤＵで第２の無線通信デバイスに対する送信用のデータを取得することを有し、
前記プロセッサエレクトロニクスは、前記ＰＨＹフレームに、同時にそれぞれ、前記第１のＡ−ＭＰＤＵを前記第１の無線通信デバイスに提供し、前記第２のＡ−ＭＰＤＵを前記第２の無線通信デバイスに提供する第１の空間ステアリングされたフレームおよび第２の空間ステアリングされたフレームを含めるよう構成され、
前記第１の空間ステアリングされたフレームの最後および前記第２の空間ステアリングされたフレームの最後は、同じ長さを有するように位置合わせされている、請求項１０から１２のいずれか一項に記載の装置。
【請求項１４】
前記プロセッサエレクトロニクスは、前記第１の無線通信デバイスを制御して、前記第１のＡ−ＭＰＤＵに呼応して第１の承認を送信させ、
前記第２の無線通信デバイスを制御して、前記第２のＡ−ＭＰＤＵに呼応して第２の承認を送信させ、
前記第２の承認は、前記第２の無線通信デバイスとの間で構築されたブロック承認同意に従うブロック承認である、請求項１３に記載の装置。
【請求項１５】
前記プロセッサエレクトロニクスは、対応するブロック承認同意がない場合には、前記１つのＡ−ＭＰＤＵを有するように前記ＰＨＹフレームを制限して、
前記第１の承認は、前記ＰＨＹフレームが終わった後の予め定められた期間に基づいて送信され、
前記ブロック承認は、明示的なポーリングに基づいて送信される、請求項１４に記載の装置。
【請求項１６】
前記プロセッサエレクトロニクスは、第３の無線通信デバイス用に、対応するブロック承認同意なしに、前記第３の無線通信デバイス用の１つのＭＰＤＵを含む追加のＡ−ＭＰＤＵを前記ＰＨＹフレーム内に含め、
前記第３の無線通信デバイスを制御して、前記第３の無線通信デバイス用の前記１つのＭＰＤＵを含む前記追加のＡ−ＭＰＤＵに呼応して、第３の承認を送信させ、
前記第１の無線通信デバイスは、第１の明示的なポーリングの受信に基づいて前記第１の承認を送信し、
前記第３の無線通信デバイスは、第２の明示的なポーリングの受信に基づいて前記第３の承認を送信する、請求項１４又は１５に記載の装置。
【請求項１７】
前記第１の空間ステアリングされたフレームは、第１の非常に高いスループットの（ＶＨＴ）データセグメントを含み、
前記第２の空間ステアリングされたフレームは、第２の非常に高いスループットの（ＶＨＴ）データセグメントを含む、請求項１３から１６のいずれか一項に記載の装置。
【請求項１８】
前記プロセッサエレクトロニクスは、
前記サブフレームに、３２ビットの境界に基づくパッドを選択的に含め、
前記Ａ−ＭＰＤＵ内の前記サブフレームの後に１以上のパディングデリミタを選択的に含め、
前記Ａ−ＭＰＤＵに、長さが４オクテット未満の整数オクテットであるＭＡＣパッドを選択的に含め、
前記１以上のパディングデリミタのそれぞれは、４オクテット長であり、ＭＰＤＵ長がゼロであることを示す、請求項１０から１７のいずれか一項に記載の装置。
【請求項１９】
無線通信デバイスとの間でブロック承認を利用する装置であって、
無線通信インタフェースにアクセスする回路と、
プロセッサエレクトロニクスと
を備え、
前記プロセッサエレクトロニクスは、
（ｉ）前記無線通信インタフェースを介して、複数の媒体アクセス制御（ＭＡＣ）プロトコルデータユニット（ＭＰＤＵ）を統合するためのシグナリングを規定する統合データユニットフォーマットに基づいて、情報を受信し、前記情報は、ゼロより大きい長さを持ち、統合ＭＰＤＵ（Ａ−ＭＰＤＵ）のサブフレーム内に１つのＭＰＤＵを含む前記Ａ−ＭＰＤＵを含み、
（ｉｉ）前記サブフレームのデリミタが、前記１つのＭＰＤＵが、前記Ａ−ＭＰＤＵ内でゼロより大きい長さを持つ唯一のＭＰＤＵであることを示しているかを判断し、
（ｉｉｉ）前記１つのＭＰＤＵが前記Ａ−ＭＰＤＵ内でゼロより大きい長さを持つ唯一のＭＰＤＵであることを、前記サブフレームのデリミタが示している場合、対応するブロック承認同意なしに前記Ａ−ＭＰＤＵを受け付ける、装置。
【請求項２０】
前記デリミタは、前記１つのＭＰＤＵが、前記Ａ−ＭＰＤＵ内でゼロより大きい長さを持つ唯一のＭＰＤＵであることを示すよう１に設定された、フレームの最後（ＥＯＦ）フィールドを含む、請求項１９に記載の装置。
【請求項２１】
前記プロセッサエレクトロニクスは、前記Ａ−ＭＰＤＵに呼応して承認を送信するよう構成されている、請求項１９又は２０に記載の装置。
【誤訳訂正２】
【訂正対象書類名】明細書
【訂正対象項目名】発明の名称
【訂正方法】変更
【訂正の内容】
【発明の名称】統合データユニットのための無線通信シグナリング
【誤訳訂正３】
【訂正対象書類名】明細書
【訂正対象項目名】０００８
【訂正方法】変更
【訂正の内容】
【０００８】
本開示の一態様では、無線通信技術が、無線通信デバイスへの送信用のデータを取得することが含まれる。無線通信デバイスは、ＭＡＣプロトコルデータユニット等の複数の媒体アクセス制御（ＭＡＣ）データユニットを統合するためのシグナリングを規定する統合データユニットフォーマットに基づいて、入力される送信を処理するように構成されていてよい。本技術は、物理（ＰＨＹ）フレームに、データと、統合データユニットフォーマットとに基づく、１つのＭＡＣデータユニットを含む統合データユニットを含める。また技術には、ＰＨＹフレームに、統合データユニット内のＭＡＣデータユニットが１つであり、無線通信デバイスに、対応するブロック承認同意なしに統合データユニットを受け付けさせるよう信号で伝えるための情報を含めることが含まれる。ＰＨＹフレームは、無線通信デバイスに送信することができる。
【誤訳訂正４】
【訂正対象書類名】明細書
【訂正対象項目名】００１３
【訂正方法】変更
【訂正の内容】
【００１３】
【図１Ａ】統合データユニットに１つの媒体アクセス制御データユニットが含まれることをシグナリングすることに基づく通信プロセスの一例を示す。
【誤訳訂正５】
【訂正対象書類名】明細書
【訂正対象項目名】００２５
【訂正方法】変更
【訂正の内容】
【００２５】
【図１２】統合データユニットに１つの媒体アクセス制御データユニットが含まれることをシグナリングすることに基づく通信プロセスの別の一例を示す。
【誤訳訂正６】
【訂正対象書類名】明細書
【訂正対象項目名】００２８
【訂正方法】変更
【訂正の内容】
【００２８】
本開示は、とりわけ、統合データユニットのシグナリングおよび承認のためのシステムおよび技術を含む無線ローカルエリアネットワークのための技術の詳細および例を提供する。この技術には、ここに開示するように、シグナリングおよび１以上のフレームパディング技術が含まれる。統合されたプロトコルユニットのシグナリング技術は、信号データユニットを含む統合データユニットのシグナリングを含み、このシグナリングによって、無線通信デバイスが、対応するブロック承認同意なしに、信号データユニットを含む、受信した統合データユニットを受け付けることができるようになる。フレームパディング技術の一例には、無線通信デバイスを動作させて、フレーム送信に必要となるシンボル数に基づいて、ＭＡＣ層パディング、ＰＨＹ層パディングを判別することが含まれる。記載されている技術の１以上の潜在的な利点には、ブロック承認のオーバヘッドが低減すること、システム帯域幅が増加すること、古い規格との後方互換性が保たれること、またはこれらの組み合わせが含まれる。ここに記載する技術およびアーキテクチャは、ＩＥＥＥ８０２．１１ａｃに基づくもの等の、様々な無線通信システムで実装することができる。
【誤訳訂正７】
【訂正対象書類名】明細書
【訂正対象項目名】００２９
【訂正方法】変更
【訂正の内容】
【００２９】
図１Ａは、統合データユニットに１つの媒体アクセス制御データユニットが含まれることをシグナリングすることに基づく通信プロセスの一例を示す。１０１で、通信プロセスは、無線通信デバイスへの送信用のデータを取得する。無線通信デバイスは、ＭＡＣプロトコルデータユニット（ＭＰＤＵ）等の複数の媒体アクセス制御（ＭＡＣ）データユニットを、統合ＭＰＤＵ（Ａ−ＭＰＤＵ等）の統合データユニットに統合するためのシグナリングを規定する統合データユニットフォーマットに基づいて、入力される送信を処理するように設計されていてよい。送信用データを取得することには、アプリケーション、サーバ等の２以上のソースから、ネットワークまたは格納デバイスを介して２以上の無線通信デバイスのデータを取得することが含まれてよい。一部の実装例では、通信プロセスは、複数のデバイスに同時送信するために、空間分割多元接続（ＳＤＭＡ）技術に基づいて、取得した送信用データをアレンジする。
【誤訳訂正８】
【訂正対象書類名】明細書
【訂正対象項目名】００３０
【訂正方法】変更
【訂正の内容】
【００３０】
１０２で、プロセスは、ＰＨＹフレームに、データおよび統合データユニットフォーマットに基づいており、単一のＭＡＣデータユニットを含む、統合データユニットを組み込むことを含む。場合によっては、統合データユニットが、管理フレームを示していることもある。従い、データの取得には、管理フレームのための管理データの受信が含まれてよい。管理フレームのタイプのなかには、無線通信デバイスからの承認を必要とするものもある。また、承認を必要としない管理フレームのタイプもある。
【誤訳訂正９】
【訂正対象書類名】明細書
【訂正対象項目名】００３１
【訂正方法】変更
【訂正の内容】
【００３１】
１０３で、プロセスは、統合データユニット内のＭＡＣデータユニットが１つであることを合図し、かつ、無線通信デバイスが対応するブロック承認同意なしに前記統合データユニットを受け付けることを許可する情報をＰＨＹフレームに含める。一部の実装例では、送信デバイスは、ＰＨＹフレームのＰＨＹシグナリングフィールドに、統合データユニット内のＭＡＣデータユニットが１つであることを示す情報を含んでよい。他の実装例のなかには、送信デバイスが、統合データユニットのＭＡＣヘッダに、統合データユニットのＭＡＣデータユニットが１つであることを示す情報を含めるものもある。他の実装例のなかには、送信デバイスが、統合データユニットのサブフレームのデリミタ内に、統合データユニットのＭＡＣデータユニットが１つであることを示す情報を含め、サブフレームがＭＡＣデータユニットを含むものがあってもよい。
【誤訳訂正１０】
【訂正対象書類名】明細書
【訂正対象項目名】００３３
【訂正方法】変更
【訂正の内容】
【００３３】
図１Ｂは、フレームパディング技術に基づく通信プロセスの一例を示す。アクセスポイントデバイスまたはクライアントデバイス等のデバイスが実装する通信プロセスは、送信におけるフレームパディングを選択的に含めることができる。フレームパディングを含むかどうかは、送信に必要なシンボル数に基づいて決定されてよい。１０５で、通信プロセスは、無線通信デバイスへの送信用のデータを取得する。送信用のデータの取得には、アプリケーション、サーバ等の２以上のソースから、ネットワークまたは格納デバイスを介して２以上の無線通信デバイス用のデータを受信することが含まれてよい。一部の実装例では、通信プロセスは、データを複数のデバイスに同時送信するために、ＳＤＭＡ技術に基づいて、取得したデータを送信用にアレンジする。１１０で、プロセスは、ＰＨＹフレームにデータをカプセル化したＭＰＤＵを含める。取得したデータに基づいて、ＭＡＣ層は、単一のＭＰＤＵを含む、統合ＭＰＤＵ（Ａ−ＭＰＤＵ）を生成することができる。ＰＨＹ層は、Ａ−ＭＰＤＵをＰＨＹフレームに含めることができる。一部の実装例では、ＭＰＤＵデリミタのサイズは４オクテットである。ＰＨＹフレームは、２以上の空間ステアリングフレームを、それぞれＡ−ＭＰＤＵとともに、２以上のデバイス用に含んでよい。
【誤訳訂正１１】
【訂正対象書類名】明細書
【訂正対象項目名】００５４
【訂正方法】変更
【訂正の内容】
【００５４】
図４は、「フレームの最後」をシグナリングするＭＡＣパディングを含む空間通信フローレイアウトの一例を示す。ＳＤＭＡに基づく送信では、ＳＤＭＡを利用可能なデバイスが、ＶＨＴ−Ｄａｔａセグメントを、３つの空間チャネルをそれぞれ介して３つの受信側デバイスに送信する。ＶＨＴ−Ｄａｔａセグメントは、各統合ＭＰＤＵ（Ａ−ＭＰＤＵ）４１５ａ、４１５ｂ、および４１５ｃを含む。Ａ−ＭＰＤＵ４１５ａ−ｃは、１以上のサブフレームを含む。
【誤訳訂正１２】
【訂正対象書類名】明細書
【訂正対象項目名】００８６
【訂正方法】変更
【訂正の内容】
【００８６】
図１２は、統合データユニットに１つの媒体アクセス制御データユニットが含まれることをシグナリングすることに基づく通信プロセスの別の一例を示す。１２０５で、通信プロセスは、第１のステアリングされたフレームに、第１のデバイスのためのデータおよびＡ−ＭＰＤＵフォーマットに基づく第１のＡ−ＭＰＤＵを含め、このＡ−ＭＰＤＵは、１つのＭＰＤＵを含む。１２１０で、第１のステアリングフレームに、第１のＡ−ＭＰＤＵのＭＰＤＵが１つであることを合図し、かつ、第１のデバイスが対応するブロック承認同意なしに第１のＡ−ＭＰＤＵを受け付けることを許可する情報を含める。１２１５で、プロセスは、第２のステアリングされたフレームに、第２のデバイスのためのデータ、Ａ−ＭＰＤＵフォーマット、および、対応するブロック承認同意に基づく第２のＡ−ＭＰＤＵを含める。１２２０で、プロセスは、ＳＤＭＡフレームにて、第１のＡ−ＭＰＤＵを第１のデバイスに、および、第２のＡ−ＭＰＤＵを第２のデバイスに、それぞれ同時に提供するステアリングされたフレームを送信することを含む。
【誤訳訂正１３】
【訂正対象書類名】明細書
【訂正対象項目名】００８７
【訂正方法】変更
【訂正の内容】
【００８７】
図１３は、承認の通信プロセスの一例を示す。ＳＤＭＡフレームは、２以上のデバイスそれぞれの２以上の統合データユニットを含むことができる。１３０５で、承認の通信プロセスにより、第１のデバイスが、１つのＭＡＣデータユニットを含む第１の統合データユニットに呼応して第１の承認を送信する。一部の実装例では、デバイスに承認を送信させることには、承認ポリシーを示すことが含まれる。場合によっては、デバイスは、送信を受信した後で承認をすぐに送ることができる。１３１０で、通信プロセスにより、第２のデバイスが、第２の統合データユニットに呼応して、第２のデバイスと構築したブロック承認同意に従うブロック承認である第２の承認を送信する。場合によっては、デバイスに承認を送信させることには、ブロック承認要求等の明示的なポーリングを送信することが含まれる。通信プロセスは、１以上のさらなるデバイスに、さらなる統合データユニットを含むＳＤＭＡフレームに基づいて承認を送信させることを含む。１３１５で、通信プロセスは、デバイスからの承認をモニタする。承認を受信しないことに基づいて、通信プロセスは、デバイスが受信に成功しなかったデータを再送信することができる。
【誤訳訂正１４】
【訂正対象書類名】明細書
【訂正対象項目名】００８８
【訂正方法】変更
【訂正の内容】
【００８８】
一部の実装例では、通信プロセスは、対応するブロック承認同意なしで、ＳＤＭＡフレームに、単一の統合データユニットを有するように制限を課す。第１の承認は、ＳＤＭＡフレームの最後の後の所定の期間（例えばＳＩＦＳ）に基づいて送信することができる。ブロック承認は、明示的なポーリングに基づいて送信することができる。一部の他の実装例では、通信プロセスは、ＳＤＭＡフレームに、２以上の無線通信デバイスそれぞれについて、対応するブロック承認同意なしにそれぞれ１つのＭＡＣデータユニットを含む２以上の統合データユニットを含める。プロセスは、明示的なポーリングをＳＤＭＡフレームの受信者に繰り返し送信して、受信者に、ＳＤＭＡフレーム後の異なる時点で、承認を送信させる。